(57)【要約】      （修正有）【課題】ノイズ等の影響がリップの位置の決定に影響し難い電子楽器用リード及びその電子楽器用リードを備えた電子楽器を提供する。【解決手段】電子楽器用リードは、基板と、基板の先端部から基端部側に向かって並べられ、中央部が基板の先端部側に向かって突出している複数の検出部３１と、を備えている。そして、検出部３１は、例えば、外形がほぼＶ字状であるとともに、Ｖ字状の先端が基板の先端部側（ティップ側）に向くように基板に設けられている。【選択図】図１２
2018045107.tif 000002
【特許請求の範囲】
【請求項１】
基板と、
前記基板の先端部から基端部側に向かって並べられ、中央部が前記基板の先端部側に向かって突出している複数の検出部と、を備えている電子楽器用リード。
【請求項２】
前記検出部は、ほぼ等しい幅を有するとともに、前記基板の先端部から基端部側に向かってほぼ均等間隔で並べられており、
前記検出部は、外形がほぼＶ字状であるとともに、前記Ｖ字状の先端が前記基板の先端部側に向くように前記基板に設けられている請求項１に記載の電子楽器用リード。
【請求項３】
前記検出部は、前記Ｖ字状の内側の開き角が１３０度以上１４０度以下である請求項２に記載の電子楽器用リード。
【請求項４】
前記検出部は、前記Ｖ字状の先端部側及び基端部側の辺が三角形状の凹凸が連続する形状になっていることを特徴とする請求項２又は請求項３に記載の電子楽器用リード。
【請求項５】
請求項１から請求項４のいずれか１項に記載の電子楽器用リードを備えている電子楽器。
【発明の詳細な説明】
【技術分野】
【０００１】
本発明は、電子楽器用リード及びその電子楽器用リードを備えた電子楽器に関するものである。
【背景技術】
【０００２】
アコースティック管楽器（例えばサクソフォン、クラリネットのような、リードを用いる木管楽器）では、リードに触れる唇と舌の位置と圧力との変化が楽音の音色を変化させて多彩な演奏表現を実現している。
【０００３】
一方、特許文献１には、楽音を電子的に合成して出力する電子管楽器が開示されている。
この電子管楽器は、感圧式のリップセンサ（感圧センサ）をリードに複数配置し、唇と舌との位置を検出して楽音制御している。
【先行技術文献】
【特許文献】
【０００４】
【特許文献１】特開平７−７２８５３号公報
【発明の概要】
【発明が解決しようとする課題】
【０００５】
上述のように、リードを備える電子楽器では、リード上の唇（リップ）位置等を求めるためにリップの接触状態を検出する複数の検出部が設けられる。
しかしながら、ノイズ等の影響で、リップが接触していない検出部からも出力値が出力される場合があるため、電子楽器用リードとしては、そのようなノイズ等の影響がリップの位置の決定に影響し難いことが望まれる。
【０００６】
本発明は、このような事情に鑑みなされたものであり、ノイズ等の影響がリップの位置の決定に影響し難い電子楽器用リード及びその電子楽器用リードを備えた電子楽器を提供することを目的とする。
【課題を解決するための手段】
【０００７】
上記目的を達成するために、本発明は、以下の構成により把握される。
（１）本発明の電子楽器用リードは、基板と、前記基板の先端部から基端部側に向かって並べられ、中央部が前記基板の先端部側に向かって突出している複数の検出部と、を備えている。
（２）本発明の電子楽器は、上記（１）の構成を有する電子楽器用リードを備えている。
【発明の効果】
【０００８】
本発明によれば、ノイズ等の影響がリップの位置の決定に影響し難い電子楽器用リード及びその電子楽器用リードを備えた電子楽器を提供することができる。
【図面の簡単な説明】
【０００９】
【図１】（ａ）は本発明の実施形態に係る電子楽器の平面図、（ｂ）は電子楽器の側面図である。
【図２】本発明の実施形態に係る電子楽器の機能構成を示すブロック図である。
【図３】本発明の実施形態に係るマウスピースを示す図であり、（ａ）はマウスピースを示す断面図、（ｂ）はマウスピースを示す下面図である。
【図４】演奏者の口腔とマウスピースとの接触状態を示す図である。
【図５】本発明の実施形態に係るリップ検知部及びタン検知部の出力特性を説明するための図であり、（ａ）はリップ接触範囲Ｃ１で接触したリードの下面図とセンサ出力値を示す図、（ｂ）はリップ接触範囲Ｃ２で接触したリードの下面図とセンサ出力値を示す図、（ｃ）はリップ接触範囲Ｃ２及びタン接触範囲Ｃ３で接触したリードの下面図とセンサ出力値を示す図である。
【図６】本発明の実施形態に係るリードに含まれる検出部を模式的に示す図である。
【図７】本発明の実施形態に係る検出部の形状を決めるために検討対象とした検出部を示す図であり、（ａ）は長方形状の検出部を示す図であり、（ｂ）はＭ字状の検出部を示す図であり、（ｃ）はＷ字状の検出部を示す図であり、（ｄ）は逆Ｖ字状の検出部を示す図であり、（ｅ）はＶ字状の検出部を示す図である。
【図８】本発明の実施形態に係るリードに接触するリップの形状を示す概略図である。
【図９】図７に示す形状の検出部に関して、リップの移動に伴って検出部とリップとの接触面積がどのように変化するのかを示したグラフである。
【図１０】検出部上をリップが移動する状態を模式的に示した図であり、（ａ）は長方形状の検出部の場合であり、（ｂ）はＶ字状の検出部の場合である。
【図１１】本発明の実施形態に係るＶ字状の検出部の角度を説明する図である。
【図１２】本発明の実施形態に係るＶ字状の検出部の適切な角度を説明するための図であり、Ｖ字状の検出部を模式的に示した図であり、（ａ）はティップ側のＶ字状の検出部の角度を小さくした状態を示す図であり、（ｂ）はティップ側のＶ字状の検出部の角度を大きくした状態を示す図である。
【図１３】実施形態２に係るリードに含まれる検出部を示す図である。
【図１４】本発明の実施形態に係るリードに含まれる検出部の形状の第１変形例を示す図である。
【図１５】本発明の実施形態に係るリードに含まれる検出部の形状の第２変形例を示す図である。
【発明を実施するための形態】
【００１０】
以下では、はじめに、本発明の実施形態において用いられる、電子楽器用リード（以下、単に、リード１１ともいう）を含む電子楽器１００の基本的な内容について説明を行い、その後、電子楽器用リード（リード１１）についての詳細な説明を行う。
【００１１】
基本的な説明においては、電子楽器用リード（リード１１）に関しての基本的な機能等の説明がわかり易いように簡略化した図を用いて説明を行い、その後、より詳細な図を参照しながら、電子楽器用リード（リード１１）についての説明を行う。
【００１２】
［電子楽器及び電子楽器用リード］
図１（ａ）は本発明の実施形態に係る電子楽器１００の平面図、（ｂ）は電子楽器１００の側面図である。
【００１３】
電子楽器１００は、電子楽器用リード（リード１１）を用いる木管楽器であるアコースティック管楽器の奏法（例えば、ピッチベンドやビブラート）に応じて演奏を表現する電子楽器である。
【００１４】
本実施形態では、電子楽器１００がサクソフォンである例を説明するが、これに限定されるものではなく、クラリネット等、リードを用いる他の管楽器の電子楽器に適用してもよい。
【００１５】
（電子楽器）
図１（ａ）、（ｂ）に示すように、電子楽器１００は、管体部１００ａを備え、管体部１００ａ上の操作子１、サウンドシステム９と、マウスピース１０と、を備える。電子楽器１００の形状は、アコースティック管楽器のサクソフォンの形状を模している。
【００１６】
管体部１００ａは、サクソフォンの管体部を模した形状を有する本体の筐体部である。
操作子１は、演奏者Ｐ（ユーザ）が指で操作する操作部であり、音高を決定する演奏キー、楽曲のキーに合わせて音高を変える機能、音高の微調整を行う機能等を設定する設定キーを含む。
【００１７】
マウスピース１０は、演奏者Ｐが口腔で操作する部品であり、詳細は後述する。
サウンドシステム９は、スピーカ等を有し、楽音出力を行う部品である。
【００１８】
また、図１（ａ）の電子楽器１００の一部透視部分に示すように、管体部１００ａ内部に設けられた基板上に、息圧検出部２、制御手段としてのＣＰＵ（Central Processing Unit）５、ＲＯＭ（Read Only Memory）６、ＲＡＭ（Random Access Memory）７、音源８が設けられている。
【００１９】
息圧検出部２は、演奏者Ｐからマウスピース１０に吹き込まれた息の圧力（息圧）を検出するセンサである。
また、音源８は、楽音を生成する回路である。
なお、ＣＰＵ５、ＲＯＭ６、及びＲＡＭ７については後述する。
【００２０】
次に、図２を参照して、電子楽器１００の機能構成を説明する。
図２は、電子楽器１００の機能構成を示すブロック図である。
【００２１】
図２に示すように、電子楽器１００は、操作子１と、息圧検出部２と、リップ検知部３と、タン検知部４と、ＣＰＵ５と、ＲＯＭ６と、ＲＡＭ７と、音源８と、サウンドシステム９と、を備える。
【００２２】
リップ検知部３と、タン検知部４とは、後述するように、マウスピース１０に設けられるリード１１（図３参照）に含まれる。
また、電子楽器１００のサウンドシステム９を除く各部は、バス９ａを介して互いに接続されている。
【００２３】
操作子１は、上述のとおり演奏キー、設定キー等の各種キーを有し、演奏者Ｐから各種キー操作を受け付けて、その操作情報をＣＰＵ５に出力する。
設定キーは、音色の設定機能、楽曲のキーに合わせて音高を変える機能、音高の微調整を行う機能を設定するとともに、リップ検知部３において検出されたリップＬの接触位置及びリップＬの接触面積に応じて微調整されるモードを楽音の音色、音量、高さの中からあらかじめ選択する機能を設定するキーである。
【００２４】
息圧検出部２は、演奏者Ｐからマウスピース１０に吹き込まれた息の息圧を検出し、その息圧情報をＣＰＵ５に出力する。
【００２５】
リップ検知部３は、演奏者Ｐのリップ（唇）Ｌの接触を検出する静電容量方式のタッチセンサであり、タッチセンサにおけるリップＬの接触位置及びリップＬの接触面積に応じた静電容量をリップＬの検出情報としてＣＰＵ５に出力する。
なお、リップＬの接触位置（重心位置）の算出については後述する。
【００２６】
タン検知部４は、演奏者Ｐのタン（舌）の接触状態を検出する静電容量方式のタッチセンサであり、タッチセンサにおけるタンの接触面積に応じた静電容量をタンの検出情報としてＣＰＵ５に出力する。
【００２７】
ＣＰＵ５は、電子楽器１００の各部を制御する。
ＣＰＵ５は、ＲＯＭ６から指定されたプログラムを読み出してＲＡＭ７に展開し、展開されたプログラムと協働して各種処理を実行する。
【００２８】
より具体的には、ＣＰＵ５は、操作子１から入力された操作情報と、息圧検出部２から入力された息圧情報と、リップ検知部３から入力されたリップＬの接触の検出情報と、タン検知部４から入力されたタンの接触の検出情報と、に基づいて、楽音の生成を音源８に指示する。
【００２９】
例えば、ＣＰＵ５は、操作子１から入力された操作情報としての音高情報に基づいて、楽音の音高を設定し、息圧検出部２から入力された息圧情報に基づいて、楽音の音量を設定し、リップ検知部３から入力されたリップＬの検出情報に基づくリップＬの接触位置及びリップＬの接触面積に応じた静電容量に従い、楽音の音色、音量、高さの少なくとも１つを微調整し、タン検知部４から入力されたタン（舌）の接触の検出情報に基づいて、楽音のノートオン／オフを設定する。
【００３０】
ＲＯＭ６は、読み出し専用の半導体メモリであり、各種データ及び各種プログラムを記憶する。
ＲＡＭ７は、揮発性の半導体メモリであり、データやプログラムを一時的に格納するワークエリアを有する。
【００３１】
音源８は、シンセサイザであり、操作子１での操作情報や、リップ検知部３からのリップＬの検出情報、タン検知部４からのタンの検出情報に基づいたＣＰＵ５の楽音の生成指示（楽音制御）に従い、楽音を生成して楽音信号をサウンドシステム９に出力する。
なお、音源８は、楽音信号をフィルタリングするＬＰＦを有するが、ＬＰＦは、音源８とサウンドシステム９との間や、サウンドシステム９内に設けられていてもよい。
【００３２】
サウンドシステム９は、音源８から入力された楽音信号に信号増幅等を施し、内蔵のスピーカから楽音として出力する。
【００３３】
（マウスピース及びリード）
次に、図３及び図４を参照して、マウスピース１０の基本的な内容について説明する。図３（ａ）はマウスピース１０を示す断面図であり、（ｂ）はマウスピース１０を示す下面図である。
【００３４】
図３（ａ）において、マウスピース１０の長手方向に沿って、演奏者Ｐの口側を「ティップ」（先端部）と称し、管体部１００ａ側を「ヒール」（基端部）と称することとする。
なお、以降の図においても、演奏者Ｐの口側を「ティップ」と称し、管体部１００ａ側を「ヒール」と称することとする。
【００３５】
図３（ａ）、（ｂ）に示すように、マウスピース１０は、マウスピース本体部１０ａと、リード１１と、固定金具１２と、を有する。
【００３６】
マウスピース本体部１０ａは、演奏者Ｐが息を吹き込む開口部１３を有するマウスピース１０の本体部品であり、管体部１００ａに接続される。
【００３７】
リード１１は、マウスピース本体部１０ａの下方、つまり、アコースティック管楽器のリードの位置に対応して設けられている。
リード１１は、固定金具１２によってマウスピース本体部１０ａに固定されている。
【００３８】
図３（ｂ）に示すように、リード１１は、基板と基板に設けられた複数の検出部４０，３１〜３９を有している。
そして、複数の検出部４０，３１〜３９は、基板にティップ（先端部）からヒール（基端部）に向かって整列した状態で設けられている。
検出部４０は、タン検知部４が有する静電容量方式のタッチセンサＳ１０の電極部である。
【００３９】
検出部３１〜３９は、リップ検知部３が有する静電容量方式のタッチセンサＳ２１〜Ｓ２９の電極部である。
検出部３１〜３９は、リード１１のティップ側からヒール側に向かってほぼ均等間隔で並び、ほぼ等しい幅を有している。
【００４０】
図３（ｂ）では、便宜上、検出部３１〜３９は長方形状に描かれているが、本実施形態では、追って述べるようにほぼＶ字状の外形を有している。
【００４１】
図４は、演奏者Ｐの口腔とマウスピース１０との接触状態を示す図である。
図４に示すように、演奏者Ｐは、電子楽器１００の演奏時に、上側前歯Ｅ１をマウスピース本体部１０ａの上部に当て、下側前歯Ｅ２を下側のリップＬで巻き込み、リード１１に触れる。
このようにして、マウスピース１０は、上側前歯Ｅ１とリップＬとで保持される。
【００４２】
演奏時の口腔内部のタンは、奏法により、リード１１に触れている状態のタンＴ１（実線）と、リード１１に触れていない状態のタンＴ２（破線）と、のいずれかとなる。
そして、タッチセンサＳ１０，Ｓ２１〜Ｓ２９は、検出部４０，３１〜３９に対するリップＬ及びタンの接触状態（タンＴ１；接触、又はタンＴ２：非接触）を検知し、検知情報をＣＰＵ５に対して出力する。
【００４３】
ＣＰＵ５は、追って詳しく述べるように、タッチセンサＳ２１〜Ｓ２９から出力される検知情報に応じて、リード１１におけるリップＬの接触位置を算出する。
同様にＣＰＵ５は、タンが接触したことをタッチセンサＳ１０から出力される検知情報に基づいて判断する。
【００４４】
（リップ検知部及びタン検知部の出力特性）
図５を参照して、リップ検知部３及びタン検知部４の出力特性を説明する。
図５（ａ）はリップ接触範囲Ｃ１で接触したリード１１の下面図とセンサ出力を示す図、（ｂ）はリップ接触範囲Ｃ２で接触したリード１１の下面図とセンサ出力を示す図、（ｃ）はリップ接触範囲Ｃ２及びタン接触範囲Ｃ３で接触したリード１１の下面図とセンサ出力を示す図である。
【００４５】
図５（ａ）〜（ｃ）においてセンサ出力を示すグラフでは、横軸にリード１１上の位置をとり、縦軸に、検出部のそれぞれに対応するタッチセンサＳ１０，２１〜２５の出力強度（出力電圧）を棒グラフ状に表している。
ただし、図５では、便宜上、タッチセンサＳ２６〜２９に対応する検出部３６〜３９及びこれら検出部３６〜３９に対応する出力強度は省略されている。
【００４６】
図５（ａ）に示すように、演奏者ＰがリップＬをリップ接触範囲Ｃ１に最も強く当てるように接触させると、リップ接触範囲Ｃ１に対応する検出部３２におけるタッチセンサＳ２２の出力強度が最大となる分布が得られる。
【００４７】
また、図５（ｂ）に示すように、演奏者ＰがリップＬをリップ接触範囲Ｃ２に最も強く当てるように接触させると、リップ接触範囲Ｃ２に対応する検出部３３，３４におけるタッチセンサＳ２３、Ｓ２４の出力強度が最大となる分布が得られる。
ただし、図５（ａ）、図５（ｂ）では、検出部４０におけるタッチセンサＳ１０の出力強度は得られていない。
【００４８】
このように、静電容量方式のタッチセンサでは、リップ接触範囲Ｃ１，Ｃ２と重なる検出部だけでなく、当該重なる検出部に隣接する検出部も反応する。
そのため、後述するように、ＣＰＵ５は、リップ接触範囲における接触中心、つまり重心位置をリップ接触位置として割り出すこととしている。
【００４９】
また、図５（ｃ）に示すように、演奏者ＰがリップＬをリップ接触範囲Ｃ２に接触させたまま、タンをタン接触範囲Ｃ３に接触させると、リップ接触範囲Ｃ２と重なる検出部３３，３４に対応するタッチセンサＳ２３、Ｓ２４の出力値が最大となる分布とともに、タン接触範囲Ｃ３と重なる検出部４０に対応するタッチセンサＳ１０に大きな出力値が得られる。
【００５０】
このように、ＣＰＵ５は、検出部３１〜３９のうちのリップＬが接触した検出部に対応したタッチセンサＳ２１〜Ｓ２９の出力値に基づき、後述のように、リップＬの接触位置（重心位置）を算出するとともに、タン検知部４の検知情報としてのタッチセンサＳ１０の出力値が所定の閾値以上か否かにより、タンが接触しているか又は接触していないかを判定することができる。
【００５１】
（リップＬの重心位置の算出）
重心（重心位置）は、複数の検出部３１〜３９からの夫々の出力値と、複数の検出部３１〜３９の識別子（位置番号）とに基づいて算出され、以下、図６を参照して、具体的に、リップＬの重心位置の算出手法を説明する。
図６は、リード１１に含まれる検出部４０，３１〜３９を模式的に示した図である。
図６では、以後の説明がわかり易いようにするために、検出部３１〜３９の位置を、検出部３１側からＰ１〜Ｐ９で表し、各位置に番号「１」〜「９」を付与している。
【００５２】
そして、リップＬのリード１１への接触位置（重心位置ｘＧ）は、タッチセンサＳ２１〜Ｓ２９の出力値ｍｉと検出部３１〜３９の位置番号ｘｉ（ｘｉ＝１〜９）とを用いて、次式で算出することが出来る。
【数１】
2018045107.tif 000003
ここで、ｎはタッチセンサの数である。
なお、この式は一般に重心位置を算出するときに用いられる式である。
【００５３】
例えば、位置「Ｐ１」から「Ｐ９」に対応するタッチセンサＳ２１〜Ｓ２９の出力値が｛０，０，０，０，９０，１２０，１５０，１２０，９０｝である場合、リップＬの重心位置ｘＧは、
【数２】
2018045107.tif 000004
と算出される。
【００５４】
なお、装置としての処理では、リップＬの重心位置ｘＧを、例えば０から１２７までの整数値（７ビットの２進数）で表現して処理を行っている。
このようなビット表現への変換は、一般的なビット表現への変換と同様であるが、本実施形態では、検出部３１〜３９の位置番号ｘｉが１から９になっているため、重心位置ｘＧの最小数値が１となり０ではない。
このため、重心位置ｘＧの最小数値が１のときに０を割り当てるために、重心位置ｘＧから１を引いた値（つまり、上記例であれば、６．０）を用いてビット表現に変換、つまり、その６．０を電極数の最大数９で割った後、１２７をかけるようにしている。
【００５５】
［第１実施形態］
以上を踏まえ、第１実施形態に係る電子楽器用リード（リード１１）、特にリップ検知部３としてのタッチセンサを詳細に説明する。
【００５６】
リップＬを検知するタッチセンサに求められる性能としては、（ａ）リップＬがリード１１上を移動しても、リード１１に接触している面積が一定である場合には、センサ値（出力値ともいう）の総和が一定に保たれること、及び、（ｂ）リップＬの重心位置ｘＧの決定に際してノイズの影響が小さいこと、が重要である。
そして、以下で説明するように、これらの条件を満たすタッチセンサの検出部の外形としてほぼＶ字状の形状が好適であることを見出した。
【００５７】
（タッチセンサからの出力値の総和が一定であること）
リップＬがリード１１上を一定の接触面積を保ちながらティップ側からヒール側に向かって移動する場合を考える。
このように、リップＬがリード１１上を一定の接触面積を保ちながらティップ側からヒール側に向かって移動しているにもかかわらず、リップＬの位置に応じてタッチセンサの出力値の総和が大きく変動すると、このような変動に合わせて、音（音高、音量など）の抑制が必要となるため、制御が煩雑なものとなり、制御系が複雑化する。
【００５８】
この点、リップＬがリード１１上を一定の接触面積を保ちながらティップ側からヒール側に向かって移動しているときに、リップＬのリード１１上の位置にかかわらずタッチセンサの出力値の総和がほぼ同じである場合には、上記のような複雑な制御を行う必要はない。
したがって、（ａ）リップＬがリード１１に一定の面積で接触している場合には、センサ値の総和が一定に保たれることは、リード１１に求められる重要なファクタの１つと考えられる。
【００５９】
発明者らは、このような思想に基づき、図７（ａ）〜（ｅ）に示す検出部１１０〜１５０について検討を行った。
なお、検出部１１０〜１５０の語は、個々の検出部を総称するために使用されている。
また、図７では、先に図６を参照して示した検出部３１〜３９に対応する部分だけを示し、リード１１の外形を示す線や検出部４０の図示を省略している。
【００６０】
まず、検討を行った図７（ａ）〜（ｅ）の検出部１１０〜１５０について形状等の説明を行う。
図７（ａ）〜（ｅ）は、検出部１１０〜１５０の外形を示しており、図７（ａ）の検出部１１０は長方形状、図７（ｂ）の検出部１２０はＭ字状、図７（ｃ）の検出部１３０はＷ字状、図７（ｄ）の検出部１４０は逆Ｖ字状、図７（ｅ）の検出部１５０はＶ字状である。
【００６１】
図７（ａ）〜（ｅ）に示す検出部１１０〜１５０では、それぞれの検出部１１０〜１５０の幅ｄ１〜ｄ５（リード１１の長手方向に対向する辺同士の距離）は互いに等しいものとする。
また、Ｍ字状、Ｗ字状、Ｖ字状、逆Ｖ字状の名称は、リード１１が有する検出部１１０〜１５０を、ティップ側を下側、ヒール側を上側として見たときの各検出部の外形に由来している。
【００６２】
ただし、ここでの検討は、リップＬがリード１１上の長手方向の中央付近に位置する場合のように、リップＬがティップ側やヒール側の端からはみ出さず、タッチセンサの出力値の総和を適切に算出できる場合を前提としている。
したがって、例えばリップＬが最もティップ側及び最もヒール側に位置する検出部上に位置して検出部からリップＬがはみ出している場合のように、タッチセンサの出力値の総和を適切に算出できない場合は、ここでは検討していない。
【００６３】
ところで、リード１１に接触するリップＬの形状は、図８に示すように、ほぼＶ字状あるいはほぼ円弧状である。
また、リード１１に接触するリップＬにおいて各端部と中央部（屈曲部ないし先端部）とを結ぶ線分の間の角度αは、調査した結果、個人差はあるものの、概ね１３０度であり、リード１１に接触するリップＬの幅Ｄも概ね７ｍｍであったため、以下に述べる種々の検討では、このことを前提として行っている。
【００６４】
このような前提の下で、リップＬがリード１１上をティップ側からヒール側に移動することに伴うリップＬの検出部１１０〜１５０への接触面積の総和（総接触面積ともいう）の変化を調べたところ、長方形状及びＶ字状の検出部１１０，１５０に対するリップＬの総接触面積の変化が比較的小さいことが判明した。
【００６５】
なお、出力値の総和は、センサにおいて接触している部分から出力される値のすべての和であるため、出力値の総和の変化と総接触面積の変化は対応する関係にあり、このため総接触面積を比較することを行っている。
【００６６】
具体的には、一定のピッチでリップＬを動かしたときの各位置でのリップＬの検出部に接触する接触面積の総和（総接触面積）を求め、その求めた総接触面積の標準偏差を算出するようにしてリップＬの移動に伴うリップＬの総接触面積の一定性の検討を行った。
標準偏差は中心値からのばらつきを示す指標であるため、標準偏差が小さいことは、総接触面積がどの位置でも中心値に近いものとなっており、ばらつきが少ないことを意味する。
【００６７】
このようにして求めた長方形状、Ｖ字状、Ｍ字状、Ｗ字状、逆Ｖ字状の検出部１１０〜１５０のそれぞれの標準偏差は、４．６、１１．２、６７．９、７７．５、１１７．５であった。
したがって、リップＬの移動に伴うリップＬの接触面積（総接触面積）の一定性の観点からは、検出部１１０（長方形状）が最もよく、次に、検出部１５０（Ｖ字状）がよく、長方形状の検出部１１０及びＶ字状の検出部１５０は、かなり小さい標準偏差となっており、良好なものといえる。
【００６８】
（リップＬの重心位置ｘＧの決定に際してノイズの影響が小さいこと）
既に説明したとおり、リップＬの重心位置ｘＧは数１に示す式に従って計算される。
このとき、反応している検出部の数が多い時と、少ない時とで、重心位置ｘＧの計算において生ずる誤差の程度が大きく異なる。
【００６９】
具体的に述べると、反応している検出部の数が少ないことは、重心計算に用いるデータ数が少ないことと等価であるため、ノイズが加わると、重心位置ｘＧを求める計算に大きな誤差が出やすい。
【００７０】
逆に、反応している検出部の数が多いことは、重心計算に用いるデータ数が多いことと等価であるため、ノイズが加わったとしても、相対的にノイズの影響は小さくなり、ノイズの影響で重心位置ｘＧを求める計算に出る誤差は小さくなる。
【００７１】
したがって、ノイズの影響が重心計算に出にくくするためには、検出部のレイアウトをリップＬがどの位置にあったとしても、多数の検出部がリップＬに接触でき、反応するレイアウトにすることが好ましい。
【００７２】
このことは、１つの検出部に着目すれば、その検出部上を通過するように、リップＬがリード１１上をティップ側の縁部からヒール側の縁部まで移動するときに、その１つの検出部が、長い間、リップＬに接触し続けることを意味する。
【００７３】
なぜならば、多数の検出部がリップＬと接触できるレイアウトであることは、リップＬがリード１１上を動いたときに、１つの検出部に着目すれば、リップＬとの接触（あるいはリップＬの接近による検出部の静電容量の変化）がすぐになくならないことと等しいためであり、そのような場合、その検出部に対するリップＬの接触面積の変化は、ゆっくりと長い間、変化することになる。
【００７４】
したがって、良好な検出部では、検出部の出力値が、リップＬがリード１１上をティップ側の縁部からヒール側の縁部まで移動するときに、リップＬの動きに応じてなだらかに変化するとともに、できるだけ長い間、出力され続ける現象として現れるといえる。
【００７５】
図９は、図７に示す形状の検出部に関して、リップＬの移動に伴って検出部とリップＬとの接触面積がどのように変化するのかを示したグラフである。
ただし、図９では、リップＬが接触しない状態から最大に接触する状態までの変化を表しており、リップＬが通過して接触面積が減少する部分については示していない。
なお、対象とする検出部は、ティップ側から数えた時の番号が同じ番号となるリード１１の中央側に位置する検出部である。
【００７６】
図９では、横軸がリップＬの重心位置を示しており、縦軸がリップＬと検出部の接触面積を示している。
【００７７】
ここで、図９のグラフがどのような状態を示しているのかが理解しやすいように、簡単に、図１０を用いて図９のグラフに関する補足をしておく。
図１０は、検出部上をリップＬが移動する状態を模式的に示した図であり、図１０（ａ）は長方形状の検出部１１０の場合であり、図１０（ｂ）はＶ字状の検出部１５０の場合である。
【００７８】
図１０に示すように、図９のグラフは、長方形状の検出部１１０についてもＶ字状の検出部１５０についても、例えば、ティップ側から５番目の検出部に着目しており、上側の図に示すリップＬがティップ側にいる状態から下側の図に示すヒール側に移動するときに、ハッチングで示す接触面積（長方形状の検出部１１０はハッチング部１１１参照、Ｖ字状の検出部１５０はハッチング部１５１参照）の変化を表したものになっている。
このような接触面積の変化を図７に示す形状の検出部に関して、それぞれ示したのが図９のグラフである。
【００７９】
図９のグラフにおいて、接触面積の変化の開始点が最もティップ側にあり、かつ、接触面積が最大に至る終了点が最もヒール側にあるとともに、開始点から終了点に至る接触面積の傾きがなだらかであることは、リップＬが移動するときに、長い間、リップＬとの接触ができる良好な検出部の状態である。
【００８０】
そして、図９を見ればわかるように、Ｖ字状の検出部に比べ、長方形状、Ｍ字状、Ｗ字状、逆Ｖ字状の検出部は、接触面積の増加する傾きが大きく、開始点から終了点までの距離が短くなっており、明らかに、Ｖ字状の検出部が良好であることがわかる。
【００８１】
ここで、先に評価したリップＬの移動に伴うリップＬの接触面積（総接触面積）の一定性の観点においても、Ｖ字状の検出部１５０は、若干、長方形状の検出部１１０よりも標準偏差が大きいものの、かなり小さい標準偏差であったことを合わせて考えると、総合的に、Ｖ字状の検出部１５０が優れていると考えられる。
【００８２】
（Ｖ字状の検出部における好適な角度）
一方、Ｖ字形状の検出部においても、良好なＶ字の開き具合があり、以下、良好なＶ字の開き具合に関して説明する。
【００８３】
図１１は、Ｖ字状の検出部の角度を説明する図であり、図１１に示すように、Ｖ字状の内側の開き角をθとし、この角度θを検出部の角度と定義している。
【００８４】
以下、このように定義される検出部の角度θの適切な範囲について説明する。
角度θが小さいことは、Ｖ字形状がきつくなることを意味し、１つのＶ字状の検出部を形成するのに奥行き（ヒール側への長さ）が必要となるが、リード１１の奥行（ティップ側からヒール側までの長さ）自体が決まっているため、あまり角度θを小さくしすぎると、リード１１が有する検出部の数が少なくなる結果を招く。
【００８５】
具体的に、図１２を参照しながら説明する。
図１２は、最もティップ側の検出部３１を模式的に示した図であり、図１２（ａ）は角度θが小さな角度であるθ１の状態を示す図であり、図１２（ｂ）は角度θが大きな角度であるθ２の状態を示す図である。
【００８６】
図１２を見るとわかるとおり、角度θが小さな角度であるθ１のとき（図１２（ａ）参照）の奥行きはＦ１１であり、大きな角度であるθ２のときと（図１２（ｂ）参照）の奥行きはＦ２２であるが、明らかに小さな角度であるθ１のときのほうが、奥行きが必要である。
このように、角度θが小さく、Ｖ字形状がきつくなると、１つの検出部に要する奥行きが長くなり、決まったサイズであるリード１１において、検出部の数が少なくなる。
【００８７】
また、最もティップ側に位置する検出部の外側には、検出部が存在しない（図１２の領域３１ａ参照）が、図１２（ａ）の距離Ｆ１と距離Ｆ２を見比べればわかるように、Ｖ字形状がきつい場合、この検出部が存在できない領域３１ａの奥行（ヒール側への長さ）が増える。
このため、角度θが小さいＶ字状の検出部では、リップＬがティップ側にある時の接触面積の変動が大きくなるという問題もある。
【００８８】
一方、逆に、角度θが大きくなることは、長方形状の検出部に近づいていくことを意味するため、Ｖ字状とすることの利点が失われていくことになる。
これらのことを考慮した結果、開き角の角度θは１３０度以上、１４０度以下であることが好ましい。
【００８９】
なお、各検出部の幅が変わると、各検出部からの出力値が変わることになるため、リード１１は、開き角が１３０度以上、１４０度以下で、Ｖ字状の先端がリード１１に含まれる基板のティップ側（先端部側）に向くように基板に設けられた、ほぼ等しい幅を有する複数のＶ字状の検出部を有することが好ましく、さらに、その検出部は、リード１１において、リード１１のティップ側（先端部側）からヒール側（基端部側）に向かってほぼ均等間隔に並んでいることが好ましい。
【００９０】
以上のような形状（Ｖ字状）の検出部を有するリード１１は、上述したように、ノイズの影響を受け難いだけでなく、リップＬがティップ側からヒール側に移動するときに総接触面積のばらつき（各検出部の出力値の総和のばらつき）が少なく、制御性に優れたものとなる。
【００９１】
［第２実施形態］
次に、図１３を参照して、本発明の第２実施形態に係るリード１１Ｂについて説明する。
図１３は、リード１１Ｂに含まれる検出部１５８を示す図である。
なお、検出部１５８の語は、個々の検出部を総称するために使用されている。
【００９２】
第２実施形態に係る検出部１５８は、第１実施形態と同様に、基本形状は内側の開き角が１３０度以上、１４０度以下のＶ字状の外形を有している。
一方、Ｖ字状におけるティップ側及びヒール側の辺が、三角形状の凹凸が連続する形状になっている点で、第１実施形態と異なっている。
【００９３】
このような形状を有する第２実施形態の検出部１５８では、リップＬの形状や、演奏者Ｐのリード１１Ｂの咥え方（例えば斜めに咥えた場合）によって、基本形状のＶ字状の部分にリップＬが接触できないとしても、凹凸部がリップＬに接触するできる場合があり、単純Ｖ字状よりも、さらにリップＬに接触しやすいものになっている。
したがって、第２実施形態の場合、第１実施形態よりも検知部にリップＬが接触できる確率が高い良好なものになっている。
【００９４】
以上、具体的な実施形態に基づいて本発明の電子楽器用リード及び電子楽器について説明してきたが、本発明は、上記の具体的な実施形態に限定されるものではない。
上記第１実施形態では、検出部３１〜３９の形状として、Ｖ字状の先端がとがった形状である場合について示したが、図１４に示す第１変形例の検出部１５９のように、Ｖ字状の先端はとがっている必要はなく、丸みを帯びていてもよい。
また、全体の形状がＵ字状になっていてもよい。
【００９５】
さらに、検出部は、全体としてＶ字状やＵ字状をしている必要はなく、図１５に示す第２変形例の検出部１６０のように、リード１１（リード１１の基板）の長手方向に直交する方向で見たときの中央部１６０ａが、例えば、Ｖ字状やＵ字状のような形状とされ、少なくともリード１１（リード１１の基板）の先端部（テイップ）側に向かって突出していればよく、中央部１６０ａよりも外側となる両側部（一方側の側部１６０ｂ及び他方側の側部１６０ｃ）は、リード１１の長手方向に交差（ほぼ直交）する方向に延びる矩形状（例えば、四角形状）になっていてもよい。
【００９６】
このように、本発明の技術的範囲には、本発明の目的が達成される範囲での様々な変形や改良などが含まれるものであり、そのことは当業者にとって特許請求の範囲の記載から明らかである。
【００９７】
以下に、この出願の願書に最初に添付した特許請求の範囲に記載した発明を付記する。付記に記載した請求項の項番は、この出願の願書に最初に添付した特許請求の範囲の通りである。
＜請求項１＞
基板と、
前記基板の先端部から基端部側に向かって並べられ、中央部が前記基板の先端部側に向かって突出している複数の検出部と、を備えている電子楽器用リード。
＜請求項２＞
前記検出部は、ほぼ等しい幅を有するとともに、前記基板の先端部から基端部側に向かってほぼ均等間隔で並べられており、
前記検出部は、外形がほぼＶ字状であるとともに、前記Ｖ字状の先端が前記基板の先端部側に向くように前記基板に設けられている請求項１に記載の電子楽器用リード。
＜請求項３＞
前記検出部は、前記Ｖ字状の内側の開き角が１３０度以上１４０度以下である請求項２に記載の電子楽器用リード。
＜請求項４＞
前記検出部は、前記Ｖ字状の先端部側及び基端部側の辺が三角形状の凹凸が連続する形状になっていることを特徴とする請求項２又は請求項３に記載の電子楽器用リード。
＜請求項５＞
請求項１から請求項４のいずれか１項に記載の電子楽器用リードを備えている電子楽器。
【符号の説明】
【００９８】
１  操作子
２  息圧検出部
３  リップ検知部
４  タン検出部
５  ＣＰＵ
６  ＲＯＭ
７  ＲＡＭ
８  音源
９  サラウンドシステム
９ａ  バス
１０  マウスピース
１１，１１Ｂ  リード
１２  固定金具
１３  開口部
１００  電子楽器
３１〜３９，１５０，１５８，１５９，１６０  検出部
１６０ａ  中央部
１６０ｂ，１６０ｃ  側部
Ｃ１，Ｃ２  リップ接触範囲
Ｃ３  タン接触範囲
ｄ１〜ｄ５  幅
Ｅ１  上側前歯
Ｅ２  下側前歯
Ｌ  リップ
Ｓ２１〜Ｓ２９  タッチセンサ
Ｔ１，Ｔ２  タン
【図１】
2018045107.tif 000005
【図２】
2018045107.tif 000006
【図３】
2018045107.tif 000007
【図４】
2018045107.tif 000008
【図５】
2018045107.tif 000009
【図６】
2018045107.tif 000010
【図７】
2018045107.tif 000011
【図８】
2018045107.tif 000012
【図９】
2018045107.tif 000013
【図１０】
2018045107.tif 000014
【図１１】
2018045107.tif 000015
【図１２】
2018045107.tif 000016
【図１３】
2018045107.tif 000017
【図１４】
2018045107.tif 000018
【図１５】
2018045107.tif 000019